(57)【要約】【課題】大型化を抑制し得る照明装置を提供する。【解決手段】照明装置４０は、複数の吐水口３１Ｂが形成されるオーバーヘッドシャワー部３０に組み付けられる照明ユニット５０を備えている。照明ユニット５０は、複数の光源５１，５２と、複数の光源５１，５２から照射される照明光のそれぞれを集光する複数のレンズ６１，６１と、を有する。複数のレンズ６１，６１は、一体化されている。【選択図】図４
2019046549.tif 000002
【特許請求の範囲】
【請求項１】
複数の吐水口が形成される吐水部に照明ユニットが組み付けられる照明装置であって、
前記照明ユニットは、
複数の光源と、
複数の前記光源から照射される照明光のそれぞれを集光する複数のレンズと、
を備え、
複数の前記レンズは、一体化されていることを特徴とする照明装置。
【請求項２】
複数の前記光源は、異なる色温度の照明光を照射することを特徴とする請求項１に記載の照明装置。
【請求項３】
隣り合う２つの前記照明ユニットを備え、
隣り合う２つの前記照明ユニットのうちの一方の前記照明ユニットが備える少なくとも１つの前記光源と、他方の前記照明ユニットが備える少なくとも１つの前記光源は、隣り合うとともに、照明光の色が同系統の色であることを特徴とする請求項２に記載の照明装置。
【請求項４】
隣り合う２つの前記照明ユニットは、４つの前記光源を有し、
４つの前記光源は、昼光色、電球色、電球色、昼光色の順に照明光の色が異なるように列状に並んで配置されていることを特徴とする請求項３に記載の照明装置。
【請求項５】
前記光源からの照明光を外部に照射する照明窓が形成され、
前記照明窓の周囲に複数の前記吐水口が配置されていることを特徴とする請求項１乃至請求項４のいずれか１項に記載の照明装置。
【発明の詳細な説明】
【技術分野】
【０００１】
本発明は照明装置に関するものである。
【背景技術】
【０００２】
特許文献１に開示されるシャワーノズルは、略環状のノズル本体を備えている。ノズル本体は、温水を噴射する複数の噴出口がノズル本体の周方向に所定間隔を空けて列設されている。ノズル本体の下面には、隣り合う噴出口同士の略中間の位置に、ノズル本体に埋め込むようにして発光ダイオードを内蔵した発光体が取り付けられている。
【先行技術文献】
【特許文献】
【０００３】
【特許文献１】特開２００２−２３８７９３号公報
【発明の概要】
【発明が解決しようとする課題】
【０００４】
特許文献１のシャワーノズルにおいて、発光体からの照明光をより効率的に頭上に照射しようとした場合、発光体から照射される照明光の照射範囲を所望の範囲に制御する構成が考えられる。具体的には、各光源に対してそれぞれレンズを設け、レンズを用いて発光体から照射される照明光を集光することで、照射範囲を制御する構成とすることができる。そして、特許文献１のシャワーノズルのように、隣り合う発光体同士が近い距離で配置される構成では、共通のレンズを用いて各発光体から照射されるそれぞれの照明光の照射範囲を制御することが考えられる。しかしながら、複数の発光体に対して１つのレンズで各照明光を集光する場合、各発光体の干渉を避けて適切に各照明光を集光するために、十分なレンズのサイズを確保する必要がある。そのため、光源、レンズ等からなる照明ユニットが大型化する問題が生じてしまう。
【０００５】
本発明は、上記従来の実情に鑑みてなされたものであって、大型化を抑制し得る照明装置を提供することを解決すべき課題としている。
【課題を解決するための手段】
【０００６】
本発明の照明装置は、
複数の吐水口が形成される吐水部に照明ユニットが組み付けられる照明装置であって、
前記照明ユニットは、
複数の光源と、
複数の前記光源から照射される照明光のそれぞれを集光する複数のレンズと、
を備え、
複数の前記レンズは、一体化されていることを特徴とする。
【０００７】
この照明装置は、複数の吐水口が形成される吐水部に照明ユニットが組み付けられている。照明ユニットは、光源から照射される照明光を集光するレンズを備えている。そのため、照明装置は、吐水口から湯水の吐水時に、照明ユニットからレンズを介して照明光を照射することで、照射範囲が所望の範囲に制御された照明光と、湯水とを組み合わせた効果的な演出を行うことができる。その上で、複数の光源から照射される照明光のそれぞれを集光する複数のレンズは、一体化されている。そのため、照明装置は、１つのレンズで複数の光源からの各照明光を集光する構成と異なり、各光源の干渉を回避するとともに各光源から照射される照明光を適切に集光させるためにレンズが大型化してしまうという問題が生じない。これにより、照明ユニットの大型化が抑制され、ひいては照明装置の大型化の抑制を図ることができる。
【図面の簡単な説明】
【０００８】
【図１】実施例１に係る照明装置が設けられた浴室の様子を示す説明図である。
【図２】図１のオーバーヘッドシャワー部を概略的に示す斜視図である。
【図３】図２のオーバーヘッドシャワー部からカバー部を除いた状態を説明する底面図である。
【図４】実施例１に係るレンズユニットを概略的に示す斜視図である。
【図５】図４のレンズユニットを長手方向に沿って切断した断面図である。
【図６】図４のレンズユニットを短手方向に沿って切断した断面図である。
【図７】洗い場床の上面における照明装置の各照射範囲を概略的に説明する説明図である。
【図８】洗い場床の上面における照明装置の各照射範囲、及びオーバーヘッドシャワー部の吐水範囲を概略的に説明する説明図である。
【図９】洗い場床の上面における照明装置から照射される照明光の照度分布と、オーバーヘッドシャワー部の吐水範囲との関係を概略的に説明する説明図である。
【図１０】図１の浴室内で、照明装置から照明光が照射されるとともに、オーバーヘッドシャワー部から湯水が吐出される様子を概略的に説明する説明図である。
【発明を実施するための形態】
【０００９】
本発明における好ましい実施の形態を説明する。
【００１０】
本発明の照明装置は、
複数の前記光源は、異なる色温度の照明光を照射し得る。
この場合、この照明装置は、一体化された複数のレンズからそれぞれ異なる色温度の照明光を照射することで、それぞれの照明光を組み合わせて所望の色温度の照明光を照射するように調色制御することができる。
【００１１】
本発明の照明装置は、
隣り合う２つの前記照明ユニットを備え、
隣り合う２つの前記照明ユニットのうちの一方の前記照明ユニットが備える少なくとも１つの前記光源と、他方の前記照明ユニットが備える少なくとも１つの前記光源は、隣り合うとともに、照明光の色が同系統の色であり得る。
この場合、この照明装置は、隣り合う２つの光源から同系統の色の照明光が照射されるため、この同系統の照明光を照明光全体の中央側に集中させることができる。そのため、照明装置は、同系統の色の照明光を高い照度で照射することができる。
【００１２】
本発明の照明装置は、
隣り合う２つの前記照明ユニットは、４つの前記光源を有し、
４つの前記光源は、昼光色、電球色、電球色、昼光色の順に照明光の色が異なるように列状に並んで配置され得る。
この場合、この照明装置は、電球色の照明光が４つの光源の配列方向における中央側から照射されるため、比較的落ち着いた色である電球色の照明光を照明光全体の中央側に集中させることができる。一方で、照明装置は、昼光色の照明光が４つの光源の配列方向における外側から照射されるため、比較的明るい色である昼光色の照明光を外側に拡がるように広い範囲に照射させることができる。したがって、照明装置は、落ち着いた色の光が内側にこもったような光を作り出すことができ、心地良い照明環境を作り出すことができる。
【００１３】
本発明の照明装置は、
前記光源からの照明光を外部に照射する照明窓が形成され、
前記照明窓の周囲に複数の前記吐水口が配置され得る。
この場合、この照明装置は、照明窓の近くに配置されるレンズ等が吐水口につながる流路等と干渉しないように、吐水部内に設けることができる。
【００１４】
次に、本発明の照明装置を具体化した実施例について、図面を参照しつつ説明する。
【００１５】
＜実施例１＞
図１は、実施例１に係る照明装置４０が設けられた浴室１０の様子を示す説明図である。浴室１０は、図１に示すように、天井パネル１０Ａ、及び洗い場床１０Ｂ等を備えている。浴室１０は、天井パネル１０Ａ、洗い場床１０Ｂ、複数の壁パネル等によって区画された浴室空間Ｓが形成されている。浴室１０は、図示しない窓、浴室出入口等が形成されている。浴室１０は、浴槽１１、ベンチカウンター１２、洗い場１３、主照明１４、シャワー装置２０、及び照明装置４０が設けられている。本明細書では、天井パネル１０Ａと洗い場床１０Ｂとが対向する方向が上下方向であり、浴室空間Ｓにおいて天井パネル１０Ａ側が上方側であり、洗い場床１０Ｂ側が下方側である。
【００１６】
シャワー装置２０は、図１に示すように、浴槽１１から洗い場１３を挟んだ反対側の壁パネルと、この壁面に連なる天井パネル１０Ａとに跨る。シャワー装置２０は、装置本体２１、オーバーヘッドシャワー部（請求項の「吐水部」に相当）３０、ハンドシャワー部２２、及びカラン部２３を備えている。装置本体２１は、壁パネルに配置されている。オーバーヘッドシャワー部３０は、装置本体２１の上部に接続され、天井パネル１０Ａにおける洗い場１３の上方部分に配置されている。ハンドシャワー部２２は、装置本体２１の側面に接続されている。カラン部２３は、装置本体２１の下端部に設けられている。
【００１７】
装置本体２１は、図１に示すように、上下方向に細長い柱形状である。装置本体２１は、内部に給湯配管やバルブ等が収容されている。装置本体２１は、複数の操作部２１Ａを備えている。操作部２１Ａは、オーバーヘッドシャワー部３０、ハンドシャワー部２２、及びカラン部２３からの吐水のオン−オフや流量（単位時間当たりに吐出される水量）の調整、及び湯温の調整等を行う際に操作される。
【００１８】
オーバーヘッドシャワー部３０は、図１に示すように、上下方向に直交する方向（水平方向）に細長い略直方体形状である。オーバーヘッドシャワー部３０は、図２，３に示すように、吐水部材３１、支持部材３２、及びカバー部材３３を備えている。オーバーヘッドシャワー部３０は、装置本体２１の操作部２１Ａによって吐水操作され、吐水部材３１に設けられた後述する複数の吐水口３１Ｂから湯水を吐出する。オーバーヘッドシャワー部３０は、後述する照明装置４０が設けられている。
【００１９】
吐水部材３１は、図３に示すように、全体として長手板状である。吐水部材３１は、複数の吐水突部３１Ａ、吐水口３１Ｂ、吸気孔３１Ｃ、及び複数のビス挿通孔３１Ｄが形成されている。複数の吐水突部３１Ａは、吐水部材３１の下面から突出した円柱形状である。吐水突部３１Ａは、円柱形状の突出方向に沿う方向に貫通する吐水口３１Ｂが形成されている。複数の吐水突部３１Ａは、吐水部材３１の下面において後述する吸気孔３１Ｃ及びレンズユニット６０を囲むように形成されている。吐水部材３１の下面における吐水突部３１Ａが形成される形成領域ＡＲ１（図３に示す一点鎖線で囲む領域）は、吐水部材３１の長手方向に沿う方向に長い長円状である。形成領域ＡＲ１は、吐水部材３１の長手方向における両端部（図中、左右の両端部）付近において、両端部に向かって幅寸法（吐水部材３１の短手方向の幅）が漸減しつつ、吐水部材３１の幅方向中央に寄っている。複数の吐水口３１Ｂは、吐水部材３１の長手方向両端部の付近において両端部に向かうに従って徐々に数が減少する。
【００２０】
複数の吐水突部３１Ａは、形成領域ＡＲ１における幅方向（短手方向）内側から外側に向かうにつれて、吐水方向の幅方向外側への傾きが大きくなっている。複数の吐水突部３１Ａから吐出された湯水は、外側に拡がるように落下していく。複数の吐水突部３１Ａから吐出された湯水は、所定の高さに到達する際に、略円形の吐水範囲の内側に均等に分散される。
【００２１】
吸気孔３１Ｃは、吐水部材３１の略中央位置において板厚方向に貫通する貫通孔である。吸気孔３１Ｃは、複数の吐水口３１Ｂに囲まれている。
【００２２】
複数のビス挿通孔３１Ｄは、吐水部材３１の長手方向に延びる２辺に所定間隔おいて並設されている。ビス挿通孔３１Ｄに挿通させたビス（図示略）は、支持部材３２に螺合することで、吐水部材３１が支持部材３２に固定される。
【００２３】
支持部材３２は、図３に示すように、吐水部材３１を上側から支持する。支持部材３２は、例えば金属板材を折り曲げ加工して長手状に形成され、天井パネル１０Ａに密接して固定されている。支持部材３２は、例えば複数のビス孔（図示略）が形成されており、このビス孔に挿通するビスによって天井パネル１０Ａに固定されている。支持部材３２は、短手方向両縁部において長手方向に沿って延出し、後述するカバー部材３３の取り付け時にカバー部材３３を案内するレール部（図示略）が形成されている。
【００２４】
カバー部材３３は、図２に示すように、上側が開口した長手箱状である。カバー部材３３は、内部に吐水部材３１を収容して保持している。カバー部材３３は、下面側において吐水部材３１の吐水突部３１Ａを挿通させる複数の貫通孔３３Ａが形成されている。カバー部材３３は、支持部材３２に形成されたレール部に案内される案内片（図示略）が内部に形成されている。カバー部材３３は、支持部材３２への取り付け時に、案内片がレール部に案内されることで、スライドしつつ支持部材３２に取り付けられる。カバー部材３３は、後述するレンズユニット６０を貫通させて下側に突出させる一対の貫通孔３３Ｂ，３３Ｂが形成されている。カバー部材３３は、吐水部材３１の吸気孔３１Ｃに連通する吸気孔３３Ｃが形成されている。
【００２５】
吐水部材３１は、図示しない給水空間、及び通水空間が内部に形成されている。給水空間は、吐水部材３１の内部において、装置本体２１の給湯配管から供給される湯水を通す給水路として機能する。給水空間は、通水空間へ湯水を供給する。給水空間から通水空間へ供給される湯水は、吸気孔３１Ｃから取り入れられた外気が気泡として混合し、気泡が入った湯水が通水空間へ送られる。通水空間に供給された湯水は、吐水口３１Ｂから外部に吐出される。
【００２６】
照明装置４０は、図１〜図３に示すように、オーバーヘッドシャワー部３０に組み付けられている。具体的には、照明装置４０は、支持部材３２とカバー部材３３との間に配置されている。照明装置４０が備える後述する一対の照明窓６２，６２がオーバーヘッドシャワー部３０の下面から露出している。照明装置４０は、一対の照明ユニット５０，５０を備えている。一対の照明ユニット５０，５０は、オーバーヘッドシャワー部３０の下面における長手方向において中央部分（吸気孔３３Ｃが形成される部分）を挟むように所定間隔おいて配置されている。一対の照明ユニット５０，５０は、オーバーヘッドシャワー部３０の短手方向における中央位置に配置されている。一対の照明ユニット５０，５０は、それぞれ複数の吐水口３１Ｂに囲まれるように配置されている。このような構成によって、照明装置４０は、照明ユニット５０，５０が吐水突部３１Ａと干渉しないように、オーバーヘッドシャワー部３０の内部に設けることができる。
【００２７】
照明ユニット５０は、図４〜図６に示すように、光源モジュール（図示略）、及びレンズユニット６０を備えている。光源モジュールは、一対の光源５１，５２、回路基板（ＬＥＤチップ、図示略）を備えている。一対の光源５１，５２は、それぞれ異なる色温度の照明光を照射する。光源５１は、昼光色の照明光を発するＬＥＤである。光源５２は、電球色の照明光を発するＬＥＤである。光源５１，５２は、図３に示すように、図示しない電源部に接続された配線５３が接続されている。光源５１，５２は、配線５３から供給される電力に基づいて照明光を照射する。光源モジュール、及び配線５３は、支持部材３２とカバー部材３３との間に配置されている。
【００２８】
レンズユニット６０は、光源５１，５２から照射される照明光を集光して、後述する照明窓６２から浴室空間Ｓに照射するように機能する。レンズユニット６０は、図４〜図６に示すように、一対のレンズ６１，６１、照明窓６２、及び支持部６３を備えている。一対のレンズ６１，６１、照明窓６２、及び支持部６３は、一体的に形成されている。
【００２９】
レンズ６１は、集光レンズ（高効率レンズ）として機能する。レンズ６１は、図４〜図６に示すように、外形が釣鐘形状であり、下方に向かうにつれて外周の長さが大きくなっている。レンズ６１は、上端部において下方側に凹む凹部６１Ｂが形成されている。凹部６１Ｂは、円形に凹んでいる。照明窓６２は、光源５１，５２からの照明光を外部に照射するように機能する。照明窓６２は、長円状の板面を有する板状である。照明窓６２は、一対のレンズ６１，６１の底部（下端部）に連なるように、レンズ６１，６１と一体的に形成されている。
【００３０】
支持部６３は、照明窓６２の縁部に連なり、一対のレンズ６１，６１の側面を囲む。支持部６３は、側壁部６３Ａ、及び上壁部６３Ｂを備えている。側壁部６３Ａは、照明窓６２の縁部に連なり、照明窓６２の板面に直交するように上方に延出する。上壁部６３Ｂは、側壁部６３Ａの上端部に連なり、側壁部６３Ａの壁面に直交するように水平方向に延出する。上壁部６３Ｂは、４つの角部にそれぞれビス孔６３Ｃが形成されている。レンズユニット６０は、ビス孔６３Ｃに挿通するビス（図示略）によって吐水部材３１に固定されている。
【００３１】
一対のレンズ６１，６１は、図４〜図６に示すように、それぞれ光源５１，５２が組み付けられている。一方のレンズ６１の凹部６１Ｂは、光源５１が嵌め込まれている。他方のレンズ６１の凹部６１Ｂは、光源５２が嵌め込まれている。一方のレンズ６１は、光源５１から照射される照明光（昼光色の照明光）を集光し、照明窓６２から外部に照射する。他方のレンズ６１は、光源５２から照射される照明光（電球光色の照明光）を集光し、照明窓６２から外部に照射する。光源５１，５２が組み付けられたレンズユニット６０は、図３に示すように、吐水部材３１に組み付けられている。照明窓６２は、図２に示すように、貫通孔３３Ｂを介してカバー部材３３の下面から下方に突出する。
【００３２】
各照明ユニット５０は、光源５１，５２がオーバーヘッドシャワー部３０の長手方向に沿って並ぶように、オーバーヘッドシャワー部３０に組み付けられている。隣り合う照明ユニット５０，５０は、一方の照明ユニット５０が備える１つの光源５２と、他方の照明ユニット５０が備える１つの光源５２と、が隣り合っている。一対の照明ユニット５０，５０における隣り合う光源５２，５２は、同系統の色（電球色）の照明光を照射する。また、隣り合う一対の照明ユニット５０，５０を構成する４つの光源５１，５２，５１，５２は、昼光色、電球色、電球色、昼光色の順に照明光の色が異なるように列状に並んで配置されている。すなわち、オーバーヘッドシャワー部３０の長手方向に沿うように、光源５１、光源５２、光源５２、光源５１の順に並んでいる。照明ユニット５０は、例えば図示しないリモコン等の操作部の操作によって、光源５１，５２の点灯及び消灯の制御、光源５１，５２からの照明光の調色の制御、光源５１，５２からの照明光の調光（光の強度）の制御等が行われる。照明ユニット５０は、光源５１，５２からの照明光の調色の制御によって、昼光色から電球色の間で任意の色温度の照明光を照射することができる。
【００３３】
照明ユニット５０が備える一対のレンズ６１，６１は、光源５１，５２から照射される照明光のそれぞれを集光する。一対のレンズ６１，６１は、一体化されている。そのため、１つのレンズで光源５１，５２からの各照明光を集光する構成（１つのレンズに複数の光源が組み付けられる構成）と異なり、各光源の干渉を回避しつつ各光源から照射される照明光を適切に集光させるためにレンズが大型化することがない。これにより、照明ユニット５０の大型化を抑制して、照明装置４０の小型化を図ることができる。
【００３４】
１つのレンズで光源５１，５２からの各照明光を集光する構成（１つのレンズに複数の光源が組み付けられる構成）では、レンズが大型化してしまう。そのため、支持部材３２とカバー部材３３との間に光源モジュールを配置することが難しく、天井パネル１０Ａに形成した穴に光源モジュールの一部を突出させて逃がす必要が生じる。しかしながら、照明装置４０は、小型のレンズ（上下方向の高さが低いレンズ）を用いるため、光源モジュールを支持部材３２とカバー部材３３との間に配置し易くなる。そのため、照明装置４０では、天井パネル１０Ａを加工する必要がなくなり、加工コストを低減することができる。
【００３５】
照明装置４０は、光源５１，５２に対してそれぞれレンズ６１，６１を用いる構成であっても、レンズ６１，６１がレンズユニット６０として一体化している。そのため、照明装置４０は、レンズ６１，６１を一体化しない構成に比べて、レンズを突出させるためにカバー部材３３に形成する貫通孔３３Ｂの数を低減することができる。カバー部材３３は、貫通孔３３Ｂの数を低減することで、吐水突部３１Ａを挿通させる貫通孔３３Ａの数を増やすことができる。これにより、吐水部材３１は、吐水口３１Ｂの数を増やすことができる。そのため、オーバーヘッドシャワー部３０は、湯水の吐き出す箇所が多くなり、使用者の浴び心地を向上させることができる。
【００３６】
１つのレンズで光源５１，５２からの各照明光を集光する構成（１つのレンズに複数の光源が組み付けられる構成）では、レンズが大型化するため、オーバーヘッドシャワー部３０の内部に形成される給水空間等の流路の広さを十分に確保できない虞がある。しかしながら、照明装置４０は、オーバーヘッドシャワー部３０の内部に小型のレンズを設けるため、給水空間等の流路の広さを確保し易く、オーバーヘッドシャワー部３０から十分な量の湯水を供給することができ、湯水の浴び心地を向上させることができる。
【００３７】
次に、浴室１０内において、オーバーヘッドシャワー部３０から吐水される湯水を、照明装置４０からの照明光によって照らす演出について説明する。図７は、洗い場床１０Ｂの上面（浴室１０の床面）における照明装置４０の照射範囲を概略的に説明する説明図である。図８は、洗い場床１０Ｂの上面における照明装置４０の照射範囲及びオーバーヘッドシャワー部３０の吐水範囲を概略的に説明する説明図である。図９は、洗い場床１０Ｂの上面における照明装置４０から照射される照明光の照度分布と、オーバーヘッドシャワー部３０の吐水範囲との関係を概略的に説明する説明図である。なお、図７、図８では、浴室１０は、ベンチカウンター１２が省略して示されている。以下では、ベンチカウンター１２を省略した状態で説明をするが、ベンチカウンター１２が省略されない状態でも、同様の効果を奏する。
【００３８】
一対の照明ユニット５０，５０からそれぞれ照射される照明光は、重なり合って一体として洗い場床１０Ｂに照射される。照明装置４０から照射された照明光は、図９に示すように、洗い場床１０Ｂに向かって拡がっている。照明装置４０から照射された照明光は、図７に示すように、洗い場床１０Ｂの上面において円形状になる。照明装置４０から照射された照明光は、図９に示すように、挟角配光状態となり、レンズユニット６０を備えない構成に比べて、照射範囲が狭くなっている。
【００３９】
照明装置４０から照射される照明光は、洗い場床１０Ｂの上面における照度が、図９に示すように、正規分布となる。照明装置４０からの照明光は、所定の中心位置Ｃで最大照度（１００％）となる。照明装置４０からの照明光は、洗い場床１０Ｂの上面において、中心位置Ｃから外側に向かうにつれて照度が小さくなる。図７〜図９に示す照射範囲ＡＲ２は、洗い場床１０Ｂの上面において、照明装置４０からの照明光の最大照度（中心位置Ｃにおける照度）に対する照度が５０％より大きい照射範囲である。照射範囲ＡＲ２は、図９に示す一部の照明光Ｌ１によって照らされる領域であって、中心位置Ｃを中心とする円形の照射範囲である。図７〜図９に示す照射範囲ＡＲ３は、洗い場床１０Ｂの上面において、照明装置４０からの照明光の最大照度（中心位置Ｃにおける照度）に対する照度が５０％以下であり、かつ５％より大きい照射範囲である。照射範囲ＡＲ３は、図９に示す一部の照明光Ｌ２によって照らされる領域であって、中心位置Ｃを中心として照射範囲ＡＲ２を囲むリング状の照射範囲である。図７〜図９に示す照射範囲ＡＲ４は、洗い場床１０Ｂの上面において、照明装置４０からの照明光の最大照度（中心位置Ｃにおける照度）に対する照度が５％以下の照射範囲である。照射範囲ＡＲ４は、図９に示す一部の照明光Ｌ３によって照らされる領域であって、中心位置Ｃを中心として照射範囲ＡＲ３を囲むリング状の照射範囲である。
【００４０】
照射範囲ＡＲ２は、照度が５０％より大きい照射範囲であり、目視で明るさを感じ取ることができる領域（照射内領域）である。照射範囲ＡＲ３は、照度が５０％以下であり、かつ５％より大きい照射範囲であり、目視で明るさを感じ取ることができる照射内領域である。照射範囲ＡＲ４は、照度が５％以下と低く、目視で明るさを感じ取ることができない領域（照射外領域）である。照射範囲ＡＲ３と照射範囲ＡＲ４との境界は、目視で明暗差が分かる（明るい領域と暗い領域とが区別できる）境界である。照射範囲ＡＲ２は、照射範囲ＡＲ３と比べて明るさの度合いが明らかに大きい領域である。
【００４１】
操作部２１Ａを吐水操作することで、吐水部材３１の吐水口３１Ｂから湯水が吐出される。オーバーヘッドシャワー部３０の複数の吐水突部３１Ａから吐出された湯水は、外側に拡がるように洗い場床１０Ｂ上に落下する。複数の吐水突部３１Ａから吐出された湯水は、所定の高さの水平面内において略円形の吐水範囲の内側に均等に分散される。複数の吐水突部３１Ａから吐出された湯水は、洗い場床１０Ｂの上面において、図８に示すように、略円形の吐水範囲ＡＲ５の内側に均等に分散される。
【００４２】
照射範囲ＡＲ２の中心位置Ｃは、図８に示すように、洗い場床１０Ｂの上面において、オーバーヘッドシャワー部３０の吐水範囲ＡＲ５の内側に位置している。具体的には、照射範囲ＡＲ２の中心位置Ｃは、吐水範囲ＡＲ５の中心位置になっている。また、洗い場床１０Ｂの上面において、照明装置４０からの照明光の最大照度（中心位置Ｃにおける照度（１００％））に対する照度が５０％以下になる照射範囲（照射範囲ＡＲ３及び照射範囲ＡＲ４）が、オーバーヘッドシャワー部３０から吐出される湯水の吐水範囲ＡＲ５の外側にある。より具体的には、図８、図９に示すように、洗い場床１０Ｂの上面において、照明装置４０からの照明光の照射によって特に明るさの度合いが大きい照射範囲ＡＲ２は、オーバーヘッドシャワー部３０の吐水範囲ＡＲ５と大部分において重なっている。
【００４３】
図１０は、図１の浴室１０内で、照明装置４０から照明光が照射されるとともに、オーバーヘッドシャワー部３０から湯水が吐出される様子を概略的に説明する説明図である。浴室１０は、照明装置４０から照明光を照射した状態で、オーバーヘッドシャワー部３０から湯水を吐出することで、図１０に示す照明状態となる。上述したように、洗い場床１０Ｂの上面において、図８、図９に示すように、特に明るさの度合いが大きい領域（照射範囲ＡＲ２）は、オーバーヘッドシャワー部３０の吐水範囲ＡＲ５と大部分において重なっている。これにより、照明装置４０から照射される照明光の特に明るい部分（図９に示す照明光Ｌ１）は、照明窓６２，６２から浴室１０の洗い場床１０Ｂの上面に至るまで落下する湯水と重なる。すなわち、照明光Ｌ１が、照明窓６２，６２から洗い場床１０Ｂの上面に至るまで湯水の拡がりに沿うように洗い場床１０Ｂの上面に向けて照射される。したがって、照明装置４０からの照明光が湯水に集中して効率的に照射され、湯水を介して拡がる光（図１０に示す光Ｌ４）によって浴室空間Ｓで効果的な演出を行うことができる。
【００４４】
照明装置４０からの照明光Ｌ１は、図１０に示すように、洗い場床１０Ｂの上面に溜まった湯水を照らし出す。これにより、照明装置４０は、洗い場床１０Ｂの上面で光溜まりのライティング（図１０に示す光Ｌ５参照）のような演出を行うことができる。
【００４５】
照明装置４０から照射される照明光は、４つの光源５１，５２，５１，５２から照射される照明光が合わさり、所定の色温度となる。照明装置４０が備える４つの光源５１，５２，５１，５２は、昼光色、電球色、電球色、昼光色の順に照明光の色が異なるように列状に並んで配置されている。電球色の照明光が４つの光源５１，５２，５１，５２の配列方向における中央側（オーバーヘッドシャワー部３０の長手方向における中央側）から照射される。そのため、比較的落ち着いた色である電球色の照明光を照明光全体の中央側に集中させることができる。一方で、昼光色の照明光が４つの光源５１，５２，５１，５２の配列方向における外側から照射されるため、比較的明るい色である昼光色の照明光を外側に拡がるように広い範囲に照射させることができる。したがって、落ち着いた色の光が内側にこもったような光を作り出すことができ、心地良い照明環境を作り出すことができる。
【００４６】
照明装置４０は、例えば各照明ユニット５０から昼光色の照明光を照射する場合、オーバーヘッドシャワー部３０の吐水口３１Ｂから吐出される湯水に昼光色の照明光を集中的に照射する。これにより、明るい色である昼光色の照明光は、天井パネル１０Ａに近い浴室１０内の高い位置（頭上）で湯水を介して拡がる。そのため、照明装置４０は、シャワーを浴びる人に対する覚醒効果を生じさせることができる。
【００４７】
照明装置４０は、例えば各照明ユニット５０から電球色の照明光を照射する場合、オーバーヘッドシャワー部３０の吐水口３１Ｂから吐出される湯水に電球色の照明光を集中的に照射する。これにより、落ち着いた色である電球色の照明光が、天井パネル１０Ａに近い浴室１０内の高い位置（頭上）で湯水を介して拡がる。また、照明装置４０は、洗い場床１０Ｂの上面で電球色の光溜まりのライティング（図１０に示す光Ｌ５参照）のような演出を行うことができる。以上により、照明装置４０は、浴室１０内に幻想的でリラックスできる心地良い照明環境を作り出すことができる。
【００４８】
照明窓６２，６２は、複数の吐水口３１Ｂに囲まれるように配置されている。吐水口３１Ｂから湯水が吐出されているときに、照明窓６２，６２が湯水によって覆われることになるため、照明窓６２，６２を目立たなくなる。そのため、照明装置４０から照明光を照射して浴室空間Ｓ内で演出を行う際に、照明窓６２，６２が見えることによる美観の低下を防ぐことができる。
【００４９】
一対の照明ユニット５０，５０は、それぞれ複数の吐水口３１Ｂに囲まれるようにオーバーヘッドシャワー部３０に組み付けられている。これにより、照明ユニット５０は、リング状に配置された複数の吐水口３１Ｂによって囲むことができ、オーバーヘッドシャワー部３０の吐水範囲ＡＲ５を円形に設定することができる。このように、オーバーヘッドシャワー部３０は、吐水範囲ＡＲ５を円形に設定して湯水の浴び心地を良好に維持した上で、吐出する湯水用いて照明の演出を行うことができる。
【００５０】
以下、本構成の効果を例示する。
実施例１の照明装置４０は、複数の吐水口３１Ｂが形成されるオーバーヘッドシャワー部３０に照明ユニット５０が組み付けられている。照明ユニット５０は、光源５１，５２から照射される照明光を集光するレンズ６１，６１を備えている。そのため、照明装置４０は、吐水口３１Ｂから湯水の吐水時に、照明ユニット５０からレンズ６１を介して照明光を照射することで、照射範囲が所望の範囲に制御された照明光と、湯水とを組み合わせた効果的な演出を行うことができる。その上で、複数の光源５１，５２から照射される照明光のそれぞれを集光する複数のレンズ６１，６１は、一体化されている。そのため、照明装置４０は、１つのレンズで複数の光源からの各照明光を集光する構成と異なり、各光源の干渉を回避するとともに各光源から照射される照明光を適切に集光させるためにレンズが大型化してしまうという問題が生じない。これにより、照明ユニット５０の大型化を抑制し、ひいては照明装置４０の大型化の抑制を図ることができる。
【００５１】
実施例１の照明装置４０は、複数の光源５１，５２が、異なる色温度の照明光を照射する。これにより、照明装置４０は、一体化された複数のレンズ６１，６１からそれぞれ異なる色温度の照明光を照射することで、それぞれの照明光を組み合わせて所望の色温度の照明光を照射するように調色制御することができる。
【００５２】
実施例１の照明装置４０は、隣り合う２つの照明ユニット５０，５０を備え、隣り合う２つの照明ユニット５０，５０のうちの一方の照明ユニット５０が備える光源５２と、他方の照明ユニット５０が備える光源５２は、隣り合うとともに、照明光の色が同系統の色（電球色）である。これにより、照明装置４０は、隣り合う２つの光源５２，５２から同系統の色（電球色）の照明光が照射されるため、この同系統の照明光を照明光全体の中央側に集中させることができる。そのため、照明装置４０は、同系統の色の照明光を高い照度で照射することができる。
【００５３】
実施例１の照明装置４０は、隣り合う２つの照明ユニット５０，５０が、４つの光源５１，５２，５１，５２を備え、４つの光源５１，５２，５２，５１が、昼光色、電球色、電球色、昼光色の順に照明光の色が異なるように列状に並んで配置される。これにより、照明装置４０は、電球色の照明光が４つの光源５１，５２，５１，５２の配列方向における中央側から照射されるため、比較的落ち着いた色である電球色の照明光を照明光全体の中央側に集中させることができる。一方で、照明装置４０は、昼光色の照明光が４つの光源５１，５２，５１，５２の配列方向における外側から照射されるため、比較的明るい色である昼光色の照明光を外側に拡がるように広い範囲に照射させることができる。したがって、照明装置４０は、落ち着いた色の光が内側にこもったような光を作り出すことができ、心地良い照明環境を作り出すことができる。
【００５４】
実施例１の照明装置４０は、光源５１，５２からの照明光を外部に照射する照明窓６２が形成され、照明窓６２の周囲に複数の吐水口３１Ｂが配置される。これにより、照明装置４０は、照明窓６２の近くに配置されるレンズ６１等が吐水口３１Ｂにつながる流路（給水空間）等と干渉しないように、オーバーヘッドシャワー部３０内に設けることができる。
【００５５】
本発明は上記記述及び図面によって説明した実施例１に限定されるものではなく、例えば次のような実施例も本発明の技術的範囲に含まれる。
（１）実施例１では、照明装置４０が備える照明ユニット５０の数が２つであったが、２つ以外の数であってもよい。また、照明ユニット５０が備えるレンズ６１の数が２つであったが、２つ以外の数であってもよい。また、照明ユニット５０が備える光源５１，５２の数が２つであったが、２つ以外の数であってもよい。
（２）実施例１では、２つの照明ユニット５０，５０が備える４つの光源５１，５２，５１，５２からそれぞれ照射される照明光が、昼光色、電球色、電球色、昼光色であったが、１つの照明ユニット５０がこれらの４つの光源５１を有してもよい。
（３）実施例１では、照明ユニット５０，５０が備える４つの光源５１，５２，５１，５２からそれぞれ照射される照明光が、昼光色、電球色、電球色、昼光色であったが、照明光の色がそれ以外の組み合わせであってもよい。例えば、４つの光源５１，５２，５１，５２からそれぞれ照射される照明光が、全て昼光色、又は全て電球色であってもよい。また、照明ユニット５０が３つの光源を備える構成である場合に、３つの光源がそれぞれ赤色、青色、及び緑色の照明光を照射する構成であってもよい。この場合、照明装置４０は、３つの光源からの照明光の調色を制御することによって、任意の色の照明光を照射することができる。
（４）実施例１では、レンズ６１は、外形が釣鐘形状であったが、その他の形状（例えば、円錐状などの錐体状）であってもよい。
（５）実施例１では、レンズ６１が照明窓６２と一体的であったが、レンズ６１が照明窓６２に対して着脱可能であってもよい。
（６）実施例１では、オーバーヘッドシャワー部３０が、水平方向に細長い略直方体形状であったが、その他の形状であってもよい。例えば、オーバーヘッドシャワー部３０は、下方から見て円形状であってもよい。また、実施例１では、照明ユニット５０（具体的には照明窓６２）が、下方から見て長円状であったが、その他の形状であってもよい。例えば、照明ユニット５０（具体的には照明窓６２）は、下方から見て円形状であってもよい。
（７）実施例１では、照明装置４０から照射される照明光の照度が、洗い場床１０Ｂの上面において正規分布となる例（図９）を示したが、照度が正規分布でなくてもよい。例えば、照明装置４０は、一対の照明ユニット５０，５０からそれぞれ照射される照明光が合わさり、ピークが２つの照度分布が生じる構成であってもよい。
【符号の説明】
【００５６】
３０…オーバーヘッドシャワー部（吐水部）
３１Ｂ…吐水口
４０…照明装置
５０…照明ユニット
５１，５２…光源
６１…レンズ
【図１】
2019046549.tif 000003
【図２】
2019046549.tif 000004
【図３】
2019046549.tif 000005
【図４】
2019046549.tif 000006
【図５】
2019046549.tif 000007
【図６】
2019046549.tif 000008
【図７】
2019046549.tif 000009
【図８】
2019046549.tif 000010
【図９】
2019046549.tif 000011
【図１０】
2019046549.tif 000012